【事件の表示】
　平成　８年特許願第１９９９４２号「透過型回折格子及びホログラムの記録方法及び装置」拒絶査定不服審判事件〔平成１０年　２月２０日出願公開、特開平１０−　４８４１０〕について、次のとおり審決する。
【結　論】
　本件審判の請求は、成り立たない。
【理　由】
　
１．　手続の経緯
　
　本願は、平成８年７月３０日の出願であって、平成１８年９月２６日付で拒絶査定がなされ、これに対して、平成１８年１１月２日に拒絶査定不服審判の請求がなされるとともに、平成１８年１１月２４日付で手続補正がなされたものである。
　
　
２．　本願発明について
　
　本願の請求項１から１０に係る発明は、平成１８年１１月２４日付の手続補正により補正された明細書及び図面の記載からみて、明細書の特許請求の範囲の請求項１から１０に記載された事項により特定されるとおりのものであるところ、特に、請求項１に係る発明（以下、「本願発明」という。）は、その請求項１に記載された次のとおりのものである。
「感光材料に２つの光束を相互に角度をなして入射させることにより一様な干渉縞を記録する透過型回折格子及びホログラムの記録方法において、
　少なくとも光束入射面、光束射出面、反射側面を有する透明ブロックを用い、前記透明ブロックの前記光束入射面から光束を入射させ、その光束の一部の光束をそのまま光束射出面に向かわせ、残りの部分の光束を前記反射側面に向かわせ、かつ、その残りの部分の光束が前記反射側面で反射されて前記光束射出面に前記の一部の光束と異なる角度で入射するようにし、前記光束射出面に入射した２つの光束を前記光束射出面に密着した感光材料中で干渉させて一様な干渉縞を記録するようにしたことを特徴とする透過型回折格子及びホログラムの記録方法。」
　
　
３．　引用例に記載の発明
　
　これに対して、原査定の拒絶理由で引用された、本願特許出願前に頒布された刊行物である特開平２−７７７８２号公報（以下、「引用例１」という。）には、図面の図示とともに次の事項が記載されている。
　
（１）「２．特許請求の範囲
　１．コヒーレントな一つの光線束（１）を一つの透明屈折体（２）を透過させることによって波面の異なる２光線束（１１，１２）に分割し、該２光線束を乾板面で干渉させてホログラムを作成する方法であって、
　前記透明屈折体（２）は、少なくとも一方が前記一つの光線束（１）に対する屈折面となる二つの表面（２１，２２または２６，２７）を有し、前記一つの光線束（１）の波面を前記二つの表面（２１，２２または２６，２７）にまたがって通過させて二つの波面に分割し、該分割された二つの波面を、該透明屈折体（２）に近接配置した乾板（３）上で干渉させることにより干渉縞を記録することを特徴とするホログラム作成方法。
２．光線束の入射面に二つの屈折面（２１，２２）を有する透明屈折体（２）を使用することを特徴とする請求項１記載のホログラム作成方法。
３．光線束の出射面に二つの屈折面（２６，２７）を有する透明屈折体（２）を使用することを特徴とする請求項１記載のホログラム作成方法。」（公報第１頁左下欄第４行から同頁右下欄第５行）
　
（２）「〔実施例〕
　以下添付図面を参照して本発明の実施例を詳細に説明する。
　第２図は本発明の第一の実施例を示す図、第３図は第二の実施例を示す図、第４図は第三の実施例を示す図である。
　第２図において、２はガラスなどの透明屈折体で第一の平面２１とこれに鈍角で接する第二の平面２２とが上面に形成されおり、下面は第一の平面に平行な平面２３になっている。
　１はレーザなどのコヒーレント光源からの光ビームをコリメータ等を通過させて形成した平面波面を有する一つの光線束で、透明屈折体２の第一の平面２１に垂直に、かつ第二の平面にもまたがって、透明屈折体２に入射させる。すると透明屈折体２に入射した光線束のうち、平面２１から入射した光線束１１は屈折せずに透明屈折体２中を直進し第三の平面２３から空気中に出射して平面波面を有する第一の光束１１となる。また第二の平面２２には入射角θで入射するため平面２２は屈折面となり、この平面に入射した光線束１２は、透明屈折体２中で第一の光線束に対して所定に傾斜した第二の光線束１２となって下面２３から出射する。
　二つの平面２１、２２の角度と面の大きさを適切に定めれば、透明屈折体の二つの表面にまたがって入射した一つの光線束は、所望の傾き角度で異なった波面を有する二つの光線束に分割され、透明屈折体中を伝播し同一領域から互いに重なって空気中に出射して波面が干渉する。
　３は感光剤が塗布された乾板で、第三の平面２３に近接して、好ましくは密着して配置されており、透明屈折体２から出射した第一の光線束１１と第二の光線束１２とで露光されて両光線束の光路差に対応した干渉縞が記録される。
　この場合透明屈折体２は、剛性の大きい一つの固体であるため入射面の相対位置関係は一定に保たれ、又波面分割後の両光線束は空気中を殆ど通らないので空気の揺らぎ等の影響をうけることがなく、従って光路差の時間的変動が少なく鮮明な干渉縞が記録される。
　また一体の透明屈折体２で２光線束干渉系が形成されているので経時変化が少なく、同一ホログラムを量産する場合などに再現性がよく特性の揃ったホログラムを作成することができる。」（公報第３頁左上欄第８行から同頁左下欄第１２行）
　
　したがって、引用例１の上記摘記事項及び各図面の記載からみて、引用例１には、
「レーザなどのコヒーレント光源からの光ビームをコリメータ等を通過させて形成した平面波面を有するコヒーレントな一つの光線束（１）を一つの透明屈折体（２）を透過させることによって波面の異なる２光線束（１１，１２）に分割し、該２光線束を感光剤が塗布された乾板（３）面で干渉させてホログラムを作成する方法であって、
　前記透明屈折体（２）は、第１の平面（２１）とこれに鈍角で接する第２の平面（２２）が上面に形成されており、下面は第一の平面に平行な第３の平面（２３）になっており、
　前記一つの光線束（１）で、透明屈折体（２）の第一の平面（２１）に垂直に、かつ第二の平面（２２）にもまたがって、透明屈折体（２）に入射させ、透明屈折体（２）に入射した光線束のうち、第一の平面（２１）から入射した光線束（１１）は屈折せずに透明屈折体（２）中を直進し第三の平面（２３）から出射して平面波面を有する第一の光束（１１）となり、第二の平面（２２）から入射した光線束は入射角θで入射するため第二の平面（２２）は屈折面となり、この平面に入射した光線束（１２）は、透明屈折体（２）中で第一の光線束（１１）に対して所定に傾斜した第二の光線束（１２）となって第三の平面（２３）から出射し、透明屈折体（２）の二つの表面にまたがって入射した一つの光線束（１）は、所望の傾き角度で異なった波面を有する二つの光線束（１１，１２）に分割され、透明屈折体（２）中を伝播し同一領域から互いに重なって出射して波面を、該透明屈折体（２）に近接配置し、好ましくは密着して配置した感光剤が塗布された乾板（３）上で干渉させることにより干渉縞を記録することを特徴とするホログラム作成方法。」の発明（以下、「引用例１発明」という。）の記載が認められる。
　
　
４．　対比
　
　そこで、本願発明と引用例１発明とを対比すると、
　
　引用例１発明の「感光剤が塗布された乾板（３）」は、本願発明の「感光材料」に相当する。
　
　引用例１発明の「ホログラムを作成する方法」は、「平面波面を有するコヒーレントな一つの光線束（１）を所望の傾き角度で異なった波面を有する二つの光線束（１１，１２）に分割され、前記二つの光線束（１１，１２）」を「感光剤が塗布された乾板（３）上で干渉させることにより干渉縞を記録する」ものであり、「感光剤が塗布された乾板（３）」に対して同一面側から入射された「平面波面を有する二つの光束」を干渉させて形成された干渉縞は透過型回折格子となることは当業者にとって自明であるので、引用例１発明の「ホログラムを作成する方法」、「ホログラム作成方法」は、本願発明の「透過型回折格子及びホログラムの記録方法」に相当する。
　
　そして、引用例１発明の「感光剤が塗布された乾板（３）上で干渉させることにより干渉縞を記録することを特徴とするホログラム作成方法。」は、平面波面を有するコヒーレントな一つの光線束（１）を所望の傾き角度で異なった波面を有する二つの光線束（１１，１２）に分割され、前記二つの光線束（１１，１２）を干渉させて干渉縞を形成するものであり、傾き角度の異なった二つの平面波面を有する光線束を干渉させて形成した干渉縞は、一定間隔の一様な干渉縞となることは当業者にとって自明であるので、引用例１発明のホログラムの作成方法は、本願発明と同様に、感光材料に２つの光束を相互に角度をなして入射させることにより一様な干渉縞を記録するものであるといえる。
　
　引用例１発明の「透明屈折体」は、本願発明の「透明ブロック」に相当する
　
　引用例１発明は、「一つの光線束（１）で、透明屈折体（２）の第一の平面（２１）に垂直に、かつ第二の平面（２２）にもまたがって、透明屈折体（２）に入射させ」るものなので、引用例１発明の「第１の平面（２１）」及び「第２の平面（２２）」は、本願発明の「光束入射面」に相当し、引用例１発明の「前記一つの光線束（１）で、透明屈折体（２）の第一の平面（２１）に垂直に、かつ第二の平面（２２）にもまたがって、透明屈折体（２）に入射させ、」は、本願発明の「前記透明ブロックの前記光束入射面から光束を入射させ」に相当する。
　
　引用例１発明の「第３の平面（２３）」は、本願発明の「光束射出面」に相当する。
　
　引用例１発明の「透明屈折体（２）」と、本願発明の「透明ブロック」とは共に、「少なくとも、光束入射面、光束射出面を有する透明ブロック」の点で一致する。
　
　引用例１発明の「第一の平面（２１）から入射した光線束（１１）は屈折せずに透明屈折体（２）中を直進し第三の平面（２３）から出射して」は、本願発明の「その光束の一部の光束をそのまま光束射出面に向かわせ」に相当する。
　
　引用例１発明の「第二の平面（２２）」に入射した「第二の光束（１２）」は、「透明屈折体（２）中で第一の光線束（１１）に対して所定に傾斜した第二の光線束（１２）となって第三の平面（２３）から出射」するものなので、引用例１発明の「第二の光束（１２）」と、本願発明の「残りの部分の光束」とは共に、「その残りの部分の光束が前記光束射出面に前記の一部の光束と異なる角度で入射するようにし」の点で一致する。
　
　引用例１発明の「透明屈折体（２）に近接配置し」た「感光剤が塗布された乾板（３）」は、「好ましくは密着して配置」するものなので、引用例１発明の「所望の傾き角度で異なった波面を有する二つの光線束（１１，１２）に分割され、透明屈折体（２）中を伝播し同一領域から互いに重なって出射して波面を、該透明屈折体（２）に近接配置し、好ましく密着して配置した感光剤が塗布された乾板（３）上で干渉させることにより干渉縞を記録する」は、本願発明の「前記光束射出面に入射した２つの光束を前記光束射出面に密着した感光材料中で干渉させて一様な干渉縞を記録する」に相当する。
　
　したがって、両者は、
「感光材料に２つの光束を相互に角度をなして入射させることにより一様な干渉縞を記録する透過型回折格子及びホログラムの記録方法において、
　少なくとも光束入射面、光束射出面を有する透明ブロックを用い、前記透明ブロックの前記光束入射面から光束を入射させ、その光束の一部の光束をそのまま光束射出面に向かわせ、残りの部分の光束が前記光束射出面に前記の一部の光束と異なる角度で入射するようにし、前記光束射出面に入射した２つの光束を前記光束射出面に密着した感光材料中で干渉させて一様な干渉縞を記録するようにしたことを特徴とする透過型回折格子及びホログラムの記録方法。」
　の点で一致し、以下の点で相違する。
　
相違点１：本願発明は、透明ブロックが、反射側面を有し、光束入射面から光束のうち、残りの部分の光束が前記反射側面に向かわせ、前記残りの部分の光束が前記反射側面で反射されて、光束射出面に一部の光束に異なる角度で入射するようにしたものであるのに対して、引用例１発明は、光線束が入射する入射面である透明屈折体（２）の第二の平面（２２）は屈折面であり、前記屈折面の屈折により、透明屈折体（２）中の第一の光線束（１１）に対して所定に傾斜した第二の光線束（１２）となって第三の平面から出射するものである点。
　
　
５．　判断
　
（相違点１）について
　光の進行方向を変化させる手段として、屈折面も反射面もどちらも周知の技術手段であり、実際、１つの光束を２つの光束に分割したのち前記２つの光束を互いに異なる角度で入射して干渉させて干渉縞を形成する技術において、前記２つの光束のうち、一方の光束をそのまま直進させ、もう一方の光束の光路中に反射面を備え、前記もう一方の光束を前記反射面により前記一方の光束とは異なる角度で入射するようにする技術自体も従来周知の技術である（周知例１：特開平５−７２４０９号公報、段落【０００４】、段落【００１０】〜【００１５】、図１、図３、周知例２：特表平５−５０８０２８号公報、ＦＩＧ．１、ＦＩＧ．２、ＦＩＧ．５、ＦＩＧ．６、周知例３：欧州特許出願公開第７２１１１８号明細書、ＦＩＧ．４）。
　したがって、引用例１発明に上記従来周知の技術を適用して、２つの光線束のうち、１つの光線束の角度を変化させる手段として、引用例１発明の光束入射面の一部である第二の平面に導入した屈折面に換えて、前記光束入射面とは別体の反射面を設けるようにすることは、当業者が適宜なし得る設計変更にすぎず、相違点１に係る発明特定事項は当業者が適宜なし得る事項にすぎない。
　
　そして、本願発明の効果は、引用例１発明及び従来周知の技術から当業者が予測できる範囲内のものである。
　
　したがって、本願発明は、引用例１発明及び従来周知の技術に基づいて当業者が容易に発明をすることができたものである。
　
　
６．　むすび
　
　以上のとおり、本願発明は、引用例１に記載された発明及び従来周知の技術に基づいて、当業者が容易に発明をすることができたものであり、特許法第２９条第２項の規定により特許を受けることができない。
　したがって、他の請求項に係る発明について検討するまでもなく、本願は拒絶すべきものである。
　
　よって、結論のとおり審決する。